(57)【要約】【課題】この発明は、開缶用のタブで開缶するイージーオープン缶において、容易に半開状態とすることができる開缶装置を得ることを課題とするものである。【解決手段】この発明の開缶装置は、缶１の天板２上に、切込み線３によって区画された開口予定部４に対応して開缶用タブがリベット止めにより取付けられていることは、従来の装置と同じである。  この発明は、開缶用タブを二つ備え、一方のタブ（第１のタブ）５は開口予定部４を押し下げる力が弱く開口予定部４を完全に押し下げることができないように構成し、他方のタブ（第２のタブ）６は従来の開缶用タブと同様に、開口予定部４を全開状態（ほぼ９０度）まで押し下げることができるように構成してある。【選択図】図１
2020083417.tif 000002
【特許請求の範囲】
【請求項１】
缶の天板上に、切込み線によって区画された開口予定部に対応して開缶用タブがリベット止めにより取付けられ、
前記タブを２つ備え、
第１のタブは、開口予定部を押し下げる力が弱く開口予定部を完全に押し下げることができないように構成し、
第２のタブは開口予定部を全開できるように構成した、
開缶装置
【請求項２】
缶の天板上に、切込み線によって区画された開口予定部に対応して開缶用タブがリベット止めにより取付けられ、
前記タブを２つ備え、
第１のタブの先端は、第２のタブの先端よりも前記切込み線近くに位置し、
第１のタブの操作によって開口予定部は半開し、第２のタブの操作によって開口予定部が全開するようにした、
開缶装置
【請求項３】
缶の天板上に、切込み線によって区画された開口予定部に対応して開缶用タブがリベットにより固定され、
前記タブを２つ備え、
第１のタブのリベット位置は、第２のタブのリベット位置よりも前記切込み線から離れて位置し、
第１のタブの操作によって開口予定部は半開し、第２のタブの操作によって開口予定部が全開するようにした、
開缶装置
【請求項４】
缶の天板上に、切込み線によって区画された開口予定部に対応して開缶用タブがリベットにより固定され、
前記タブを２つ備え、
第１のタブの先端は、第２のタブの先端よりも前記切込み線近くに位置し、
第１のタブのリベット位置は、第２のタブのリベット位置よりも前記切込み線から離れて位置し、
第１のタブの操作によって開口予定部は半開し、第２のタブの操作によって開口予定部が全開するようにした、
開缶装置
【発明の詳細な説明】
【技術分野】
【０００１】
この発明は、いわゆるイージーオープン機構を備えた缶における開缶装置に関するものである。
【背景技術】
【０００２】
従来イージーオープン缶の開口装置については幾多の発明がなされているが、その多くは、開口しやすくすることや開口用の切り込み線（スコア）のピンホールを排除すること等にあり、内容物をおいしく味わうことには関心が持たれていない。
【０００３】
出願人は、ビールが充填されたイージーオープン缶において、開口予定部（以下「開口板」ということがある。）を半開きにした状態でビールを注ぐと泡がよく発生し、全開にした状態でビールを注ぐと泡の量が少ないことを知った。半開き状態においては、開口板が邪魔板となり、ビールが空気に触れやすくなるためと思われる。
しかしながら、従来のイージーオープン缶は、開缶用のタブを操作するとタブは一気に開口予定部を押し下げるので全開状態になってしまい、半開状態で操作を止めることはきわめて困難である。
そして、半開状態で容易に止めることのできる開缶装置は提案されていない。
【発明の開示】
【発明が解決しようとする課題】
【０００４】
この発明は、開缶用のタブで開缶するイージーオープン缶において、容易に半開状態とすることができる開缶装置を得ることを課題とするものである。
【課題を解決するための手段】
【０００５】
この発明の開缶装置は、缶の天板上に、切込み線によって区画された開口予定部に対応して開缶用タブがリベット止めにより取付けられていることは、従来の装置と同じである。
この発明の特徴は、開缶用タブを二つ備えている点、そして一方のタブ（第１のタブ）は開口予定部を押し下げる力が弱く開口予定部を完全に押し下げることができないように構成し、他方のタブ（第２のタブ）は従来の開缶用タブと同様に、開口予定部を全開状態（ほぼ９０度）まで押し下げることができるように構成した点である。
【０００６】
請求項２ないし請求項４は上記二つのタブの構成を具体化したものである。
【０００７】
請求項２の発明は、第１のタブの先端は、第２のタブの先端よりも前記切込み線近くに位置し、第１のタブの操作によって開口予定部は半開し、第２のタブの操作によって開口予定部が全開するようにしたものである。
【０００８】
請求項３の発明は、第１のタブのリベット位置は、第２のタブのリベット位置よりも前記切込み線から離れて位置し、第１のタブの操作によって開口予定部は半開し、第２のタブの操作によって開口予定部が全開するようにしたものである。
【０００９】
請求項４の発明は、第１のタブの先端を、第２のタブの先端よりも前記切込み線近くに位置させると共に、第１のタブのリベット位置を、第２のタブのリベット位置よりも前記切り込み線から離れて位置させ、第１のタブの操作によって開口予定部は半開し、第２のタブの操作によって開口予定部が全開するようにしたものである。
【００１０】
この発明において「半開」とは、開口予定部が完全には押し下げられておらず、開口板が注出する内容物（主としてビールその他の発泡飲料）の流れを妨げる邪魔板として機能する程度の押し下げ状態をいう。
この発明において「全開」とは、開口予定部が直角近くまで押し下げられた状態（従来の開缶用タブで押し下げられた状態と同程度）をいう。
この発明における開缶用タブの構造に限定はなく、公知のタブを適宜採用することができる。
【発明の効果】
【００１１】
この発明において、第１のタブを操作すると、開口予定部は完全には押し下げられずに半開状態となる。そのために押し下げられた開口板が邪魔板となるので、ビールなどの発泡飲料を缶からグラスに注ぐと泡が多く発生する。
次いで第２のタブを操作すると、開口予定部は完全に押し下げられて全開状態となる。そのために開口板は内容物の注出の妨げになりにくく、泡はあまり発生しない。
すなわち、半開状態と全開状態の二回に分けて注ぐことで、所望の泡のあるグラス入りのビール、その他の炭酸飲料を得ることができる。
【図面の簡単な説明】
【００１２】
【図１】この発明実施例の平面図。
【図２】この発明実施例における半開状態の断面図。
【図３】この発明実施例における全開状態の断面図。
【実施例】
【００１３】
以下、この発明の実施例を説明する。
【００１４】
缶１の天板２に切り込み線３によって開口予定部４が形成されており、その近傍に第１の開缶用タブ５と第２の開缶用タブ６がリベット５ａ、６ａによって固定されている。
前記第１の開缶用タブ５のリベット５ａと切込み線３との最短の距離Ｌ１は、前記第２の開缶用タブ６のリベット６ａと切込み線３との最短の距離Ｌ２よりも長くしてある。
また、前記第１の開缶用タブ５の先端部における切り込み線３からの突出距離Ｌ３は、前記第２の開缶用タブ６の先端部における切り込み線３からの突出距離Ｌ４よりも短くしてある。
【００１５】
上記において、距離Ｌ１と距離Ｌ３とは、第１の開缶用タブ５を通常の力で引き上げたときに、開口予定部４が完全には押し下げられずに半開状態にとどまるように選定する。また、距離Ｌ２，Ｌ４は、第２の開缶用タブを通常の力で引き上げたときに、開口予定部４が完全に押し下げられて全開状態となるように選定する。
【００１６】
上記構成による作用は以下の通りである。
前記第１の開缶用タブ５のリベット５ａと切込み線３との距離Ｌ１および前記第１の開缶用タブ５の先端部における切り込み線３からの突出距離Ｌ３は、第１の開缶用タブ５を通常の力で引き上げたときに、開口予定部４が完全には押し下げられずに半開状態にとどまるように選定してあるので、第１の開缶用タブを引き上げたときには開口予定部４は半開状態となり、全開することがない。そのために開口板４が邪魔板として働き、ビールを注いだときには泡が多く発生する。
そして、第２の開缶用タブ６は開口予定部４を完全に押し下げることができるので、内容物はスムーズに注出され、泡があまり発生しない。
【００１７】
上記実施例においては、切込み線３からリベット５ａまでの距離Ｌ１と先端部の切込み線３からの突出距離Ｌ３の双方を調節することで第１の開缶用タブの作用を規制しているが、一方のみで規制することもできる。
【００１８】
切込み線３から第１の開缶用タブ５のリベット５ａまでの最短距離Ｌ１を長くすることにより、第１のタブ５を引き上げるときに天板２の応力が大きく働く。そのために第１の開缶用タブを引き上げるためには、第２の開缶用タブなど開口予定部を完全に押し下げるためのタブよりも引き上げに大きな力が必要となる。また、距離Ｌ１が長くなるほど第１の開缶用タブの回動量が小さくなる。したがって、一気に開口予定部４を押し下げることは難しい。
そこで、第１の開缶用タブ５と第２の開缶用タブ６の切込み線３からの突出長Ｌ３，Ｌ４は同じにしつつ、リベットまでの距離Ｌ１を適宜選択することにより、第１の開缶用タブ５の操作による開口予定部４の押し下げを半開状態に止めることもできる。
【００１９】
第１の開缶用タブ５の先端部の切込み線３からの突出長Ｌ３を短くすると、開缶用タブ５を操作したときに開口予定部４に加える力が小さくなる。したがって、一気に開口予定部４を押し下げることは難しい。
そこで、切込み線３からリベット５ａ、６ａまでの距離Ｌ１,Ｌ２は同じにしつつ、突出長Ｌ３を適宜選択することにより、第１の開缶用タブ５の操作による開口予定部４の押し下げを半開状態に止めることもできる。
【産業上の利用可能性】
【００２０】
この発明は、ビールなど泡を楽しむ発泡飲料用の缶における開缶装置として有益なものであり、産業上の利用可能性を有するものである。
【符号の説明】
【００２１】
１    缶
２    天板
３    切込み線
４    開口予定部
５    第１の開缶用タブ
６    第２の開缶用タブ  
【図１】
2020083417.tif 000003
【図２】
2020083417.tif 000004
【図３】
2020083417.tif 000005
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
缶の天板上に、切込み線によって区画された開口予定部に対応して開缶用タブがリベット止めにより取付けられ、
前記タブを２つ備え、
第１のタブの先端は、第２のタブの先端よりも前記切込み線近くに位置し、
第１のタブの操作によって開口予定部は半開し、第２のタブの操作によって開口予定部が全開するようにした、
開缶装置
【請求項２】
缶の天板上に、切込み線によって区画された開口予定部に対応して開缶用タブがリベットにより固定され、
前記タブを２つ備え、
第１のタブのリベット位置は、第２のタブのリベット位置よりも前記切込み線から離れて位置し、
第１のタブの操作によって開口予定部は半開し、第２のタブの操作によって開口予定部が全開するようにした、
開缶装置
【請求項３】
缶の天板上に、切込み線によって区画された開口予定部に対応して開缶用タブがリベットにより固定され、
前記タブを２つ備え、
第１のタブの先端は、第２のタブの先端よりも前記切込み線近くに位置し、
第１のタブのリベット位置は、第２のタブのリベット位置よりも前記切込み線から離れて位置し、
第１のタブの操作によって開口予定部は半開し、第２のタブの操作によって開口予定部が全開するようにした、
開缶装置
【手続補正２】
【補正対象書類名】明細書
【補正対象項目名】０００６
【補正方法】変更
【補正の内容】
【０００６】
請求項１ないし請求項３は上記二つのタブの構成を具体化したものである。
【手続補正３】
【補正対象書類名】明細書
【補正対象項目名】０００７
【補正方法】変更
【補正の内容】
【０００７】
請求項１の発明は、第１のタブの先端は、第２のタブの先端よりも前記切込み線近くに位置し、第１のタブの操作によって開口予定部は半開し、第２のタブの操作によって開口予定部が全開するようにしたものである。
【手続補正４】
【補正対象書類名】明細書
【補正対象項目名】０００８
【補正方法】変更
【補正の内容】
【０００８】
請求項２の発明は、第１のタブのリベット位置は、第２のタブのリベット位置よりも前記切込み線から離れて位置し、第１のタブの操作によって開口予定部は半開し、第２のタブの操作によって開口予定部が全開するようにしたものである。
【手続補正５】
【補正対象書類名】明細書
【補正対象項目名】０００９
【補正方法】変更
【補正の内容】
【０００９】
請求項３の発明は、第１のタブの先端を、第２のタブの先端よりも前記切込み線近くに位置させると共に、第１のタブのリベット位置を、第２のタブのリベット位置よりも前記切り込み線から離れて位置させ、第１のタブの操作によって開口予定部は半開し、第２のタブの操作によって開口予定部が全開するようにしたものである。